(57)【要約】【課題】  本発明が解決しようとする課題、その解決手段は請求項１記載に示すように最初に素材全体をよく吟味して其の素材の結晶構造に当てはめる事である。【解決手段】  本発明の基本は、水道水を安全な飲料水にする為に、水道水の残留塩素を除去し尚、有害殺菌も行い安全な飲料水にすることである、そのために純銅の機能効果も発揮させて、更に純銅と残留塩素の結合反応で錆びる其の錆を磁性体セラミックスで防護しまた、放射線除去も達成させて、水道水の安全な飲料水としたことである。【特許請求の範囲】
【請求項１】
水道水の残留塩素除去と有害菌を殺菌し安全な飲料水を製造する方法、それに拘わる素材選びが大切な役目、素材名は、純銅、飲料水用磁性体セラミックス、ミネラルセラミックス、銀入りセラミックス、ゼオライト系セラミックス、焼成麦飯石は必要時に混入、低線量放射線トリウム系は必要時に混入、素材全部が入る穴開パイプに納めて、水道水汲み込み用、新品ペットボトル、冷水ポットに入れる、容器は固持すること無く時々容器交換が大切な役目である、水道水を安全な飲料水とする製造方法。
【請求項２】
水道水の残留塩素除去と有害菌殺菌する方法は、請求項１記載に示す素材中より選び出し、選ばれた純銅を微細に切る、微細程水に当たる表面積を広く水道水と接触させる、同時に高純度率の高い物程水道水の残留塩素除去率も高く素晴しい効果を発揮する、更に有害菌殺菌効果も充実する、しかし、純銅は純銅比率の少ない物程残留塩素と結合し早く錆びる、その錆の防護することが最大の特徴とする、請求項１記載の水道水を安全な飲料水とする製造方法。
【請求項３】
水道水の残留塩素と結合して起きる純銅の錆防護が重要視される、請求項１記載に示す素材の中より選び出し、選ばれた飲料水用磁性体セラミックスと結合、混合を起させ絶えず水道水の保存中は同一箇所を避けることのできない素材である、その作用によって純銅の機能が薄れることなく発揮する、尚飲料水用磁性体セラミックスは水道水の鮮度保持と味覚を増す特徴の発明である、請求項１記載の水道水を安全な飲料水とする製造方法。
【請求項４】
水道水に含まれる、残留塩素除去後にミネラル成分の欠損が起きる、そのミネラル成分を補給する方法は、請求項１記載に示す素材の中より選び出し、選ばれた鉱物ミネラルセラミックスで、化学的成分の補給や味覚性を増すことの出来る飲料水となる、尚、残留塩素除去後に有害菌発生殺菌を考慮に銀入りセラミックスを混入し複合殺菌する特徴を有する、請求項１記載の水道水を安全な飲料水とする製造方法。
【請求項５】
水道水の汲み込み時点で放射線濃度が高い場合、請求項１記載に示す素材の中より選び出し、選ばれたゼオライト鉱物の中よりナトリウム成分が少ない素材選びと低温焼結が大切な役目で有る、空気関係の吸収率の高い物、尚加工上に於いても焼成不純物を取り入れて、放射線を吸収し、吸蔵巾を広く持たせ、更に吸吐くまでもその効力が起きる用にセラミックス製造過程で充分な配慮を必要とする特徴の発明である、請求項１記載の水道水を安全な飲料水とする製造方法。
【請求項６】
水道水の汲み込み時点で放射線除去率を高める方法は、低線量放射線で半減期の短い鉱石を選び選ばれた、トリウム系を安全性確認の上、ゼオライト沸石と混合し、放射性物質を吸収分離し更に除去する、又、トリウム系鉱物と半減期の長い鉱石エネルギーを拡散廃除するにはゼオライト系鉱物の混合技術の工夫が必要である、更に水道水の中に含まれる匂いを吸収し味覚性に富む飲料水になる、臭気や放射線量が満杯に吸蔵した場合、洗浄、乾燥、低温焼成にて再生させる、そして、請求項１記載に示す素材の中より穴開きパイプを選び其の中に素材全部を納め製造する、正し、沸石球状ボール、特大を必要とする場合は容器に収める必要は無い、現発明の長所は、飲料水用容器の放棄で環境汚染、石油系容器の回収が無必要となる特徴を有する請求項１記載の水道水を安全な飲料水とする製造方法。
【発明の詳細な説明】
【技術分野】
【０００１】  本発明は、飲料用の新品ペットボトル・冷水ボトルに水道水を汲み込み残留塩素除去、有害菌殺菌するために、純銅の純度率の高い物を選び混入し安全な飲料水を製造する物である。
【背景技術】
【０００２】  水道水汲み込み容器は、新品、現在市販されている、水、お茶、また、耐熱、耐圧の容器より選び純銅などと化学反応を起さない物を選び水道水を安全な飲料水とする製造方法とした。
【発明の開示】
【発明が解決しようとする課題】
【０００３】  本発明は、水道水を安全な飲料水とするために、残留塩素除去に純銅で塩素を取り除く、しかし、純銅は残留塩素と化学反応を起こし、錆びる、また、純度の低い物ほど早く錆びることを課題とする。
【課題を解決するための手段】
【０００４】  前記、課題を解決するために、水道水の残留塩素除去が最大の課題であり、その課題を解決するには純銅の比率の高い物程、塩素除去効果が素早く現れて水道水を安全な飲料水とすることの出来る安全な素材混入からなる解決方法である。【０００５】  水道水を安全、安心な飲料水にするために、有害菌殺菌は、純銅薄板で殺菌する、しかし、純銅は、塩素と化学反応を起し、錆びる難点を考慮に入れなければ成らない。【０００６】  純銅の錆びる難点解決するために飲料水用磁性体セラミックスが必要である、また、配合具合に気を配る必要がある、穴開きパイプ容器に丁寧に収めて、ペットボトル、冷水ボトルに中に収めることを基本特徴とする。
【発明の効果】
【０００７】  本発明は、請求項１記載に係る考案によれば、新品ペットボトル、冷水ボトルに水道水を汲み込み残留塩素除去、有害菌殺菌するために純銅を混入した、しかし、純銅比率が高い物程塩素除去率が高く素早く効果を発揮する、また、逆に純銅比率が低い物ほど残留塩素と化学反応を起こし、水道水の保存容器内で早く錆びる最大の欠陥が現れる。
【発明を実施するための最良の形態】
【０００８】  本発明の請求項２記載に係る考案によれば、純銅は水道水の残留塩素除去、有害菌殺菌に効果も素早く現れる、しかし、純銅率が低い物程残留塩素と化学反応を起こし早く錆びる、その錆びの防護に飲料水用磁性体セラミックス、を混入し防護する。【０００９】  そこで、本発明は純銅率の高い物で残留塩素除去効果素早く現れる物を選び、純銅の機能維持するために、飲料水用磁性体セラミックスと純銅を水道水の保存中は、同一箇所を避けることの出着ない素材同士の結合、混合を求める発明素材である。
【実施例】
【００１０】  本発明は、水道水の安全、安心を保つ為に、請求項１記載の素材をよく吟味して選び出さなければならない。【００１１】  請求項１記載素材全部を最初に固定加工した後に本発明製造に移る、例として純銅は使う迄に何回と無く水道水の残留塩素取り除く早さなどを研究により純銅濃度の高い物程、残留塩素除去や有害殺菌効果発揮率が早いことを確認した。【００１２】  請求項２記載に示すように、純銅は残留塩素辞去率も高いが、水道水保存中に残留塩素と結合し化学反応を起こし、容器内で錆びる、この錆を取り除くことが最大の欠陥である。【００１３】  そして請求項３記載に示すように、飲料水用磁性体セラミックスを純銅と結合させて、水道水の保存期間中は同一箇所を避けることの出着ない素材発明である。【００１４】  また、飲料水用磁性体セラミックスの効力は、水道水の鮮度保持に大きく役立つ、更に味覚をまして飲料水として美味しい水道水の保存用飲料水とする製造方法。【００１５】  請求項４記載に示すように、水道水の残留塩素除去後に起きるミネラル成分の欠損が起きる、そこで、請求項１記載素材の中より選びだし、選ばれた鉱物ミネラルをセラミックスとして混合すると化学的成分の補給や味覚性に富んだ飲料水となる。【００１６】  そして、水道水の残留塩素除去後には有害菌発生殺菌を考慮に入れて、銀入りセラミックスを混入し安心の持てる水道水を安全な飲料水とする製造方法である。【００１７】  請求項５記載に示すように、水道水の汲み込み時点で放射線濃度高い場合は、請求項１記載に示す素材の中より、ゼオライト鉱物の中で沸石を選び出し、ゼオライト成分であるナトリゥムの成分の少ない物を選び、粘土性に成らないように粉砕にする。【００１８】  更に、ゼオライト系鉱物の中で空気関係の吸収率の高い、沸石素材選びが大切な役目を果たす、尚、加工上に於いては、焼成時に必要な不純物混入とセラミックスの製造過程で充分な配慮が必要である。【００１９】  請求項６記載に示すように、水道水の汲み込み時点で放射線除去率を高める場合は、トリウム系ホルミス微量を専門分析機関に安全確認の上、ゼオライト沸石と混合し吸収させる、そして、出来るだけ人の手を借りてセラミックスの原型に作り上げる、低温で除序に温度を上げてゆっくりと仕上げる、【００２０】  更に水道水に対しては、ゼオライト特有の消臭機能を発揮させる、水道水の中に含まれる匂いを消臭し味覚性に富む飲料水にとなる、また、ゼオライトセラミックスは匂い取りに良く使われるが人体に一切有害なき素材である。【００２１】  ゼオライトセラミックスが、臭気や放射線などを吸収してその能力が満杯に成った時は、洗浄、乾燥、日光消毒すれば、更に再生可能な素材であることの証明である。【００２２】  前記説明使用方法を、食品、野菜などに活用することが出来る、更に素材全部穴開きパイプに丁寧に納める、しかし、ゼオライト球状ボールを必要とされる場合は沸石ボールにて容器に入れる必要性の無い場合も有る。
【発明の効果】
【００２３】  本発明の効果は、水道水の残留塩素除去や有害菌の殺菌も行い、更に僅かな時間で水道水を安全な飲料水とする製造方法である、そして現在問題視されている放射線の混入問題であるが、放射線は場所によってその濃度の違いが生じるしかし、各地で放射線測定機を使い各地の判断に任せるより良い方法が見当たらない。
【００２４】  そして、現在飲料水を飲用する為に石油系で作った容器を一回の使用で放棄する、そこで環境汚染が起こり、社会問題視されるようになる、しかし、本発明の水道水の汲み込み容器は何回も使えることを基本とする発明である。
【００２５】  尚、低線量放射線トリウム系は非常に半減期も短かいために、半減期の長い放射線濃度を壊させる役目として、ゼオライト系鉱物の中より吟味してトリウム系鉱物の線質を吸蔵する素材選びが大切な作業である。
【００２６】  そして、トリウム系セラミックスを作るには、安全性確認のために放射線専門の公的機関で安心の持てる成績書の元で、セラミックス製造過程に移る最後にセラミックス球状品は放射線の吸収セラミックスには最も適している。
【図面の簡単な説明】
【００２７】
【図１】水道水を汲み込み保存水とする容器。
【図２】保存水にする為の素材全部、また、それを納める穴開きパイプ。
【図３】ゼオライト、沸石球状ボール容器は必要なし。
【符号の説明】
【００２８】１〜〜新品ペットボトルの水道水を飲料用保存容器とした。
２〜〜冷水ボトルの水道水を飲料用保存容器に加えた。
３〜〜水道水の残留塩素除去に純銅薄板を取り入れた。
４〜〜純銅薄板の錆防止に磁性体セラミックスを混入する。
５〜〜残留塩素除去後にミネラル成分欠損補充。
６〜〜銀入りセラミックス、混入。
７〜〜ゼオライト、セラミックス。
８〜〜当発明素材全部入れる穴開きパイプ。
９〜〜ゼオライト、球状ボールの中間に穴を開ける。
１０〜〜ゼオライト、球状ボールの中のポーラス状。
１１〜〜ゼオライト、球状ボール、トリウム系ホルミス微量を混合。
【図１】
2013022587.tif 000002
【図２】
2013022587.tif 000003
【図３】
2013022587.tif 000004